(57)【特許請求の範囲】
【請求項１】
複数のベースバンド処理チップと、
複数のユニバーサル集積回路カード（ＵＩＣＣ）チップと、
前記複数のベースバンド処理チップに通信可能に結合され、
第１の接続を確立するために、第１のベースバンド処理チップを第１のＵＩＣＣモジュールに選択的に結合することと、
前記第１の接続と同時に動作可能な第２の接続を確立するために、第２のベースバンド処理チップを第２のＵＩＣＣモジュールに選択的に結合することと、
を行うように構成された第１のマルチプレクサと、
を備え、
前記第１のマルチプレクサは、さらに、前記第２のＵＩＣＣモジュールから前記第２のベースバンド処理チップを分離することと、前記第２のベースバンド処理チップによる電力の消費と比較して前記第１のベースバンド処理チップによる低減された電力の消費に基づいて、前記第１のベースバンド処理チップを前記第２のＵＩＣＣモジュールに結合することと、
を行うように構成された、通信デバイス。
【請求項２】
複数のトランシーバをさらに備え、
前記第１のマルチプレクサは、
前記第１のベースバンド処理チップを第１のトランシーバに選択的に結合することと、
前記第２のベースバンド処理チップを第２のトランシーバに選択的に結合することと、
をさらに行うように構成された、請求項１に記載の通信デバイス。
【請求項３】
前記第１の接続は、前記第１のＵＩＣＣモジュールに結合された前記第１のベースバンド処理チップと、前記第１のトランシーバに結合された前記第１のベースバンド処理チップとを備える、請求項２に記載の通信デバイス。
【請求項４】
前記第２の接続は、前記第２のＵＩＣＣモジュールに結合された前記第２のベースバンド処理チップと、前記第２のトランシーバに結合された前記第２のベースバンド処理チップとを備える、請求項２に記載の通信デバイス。
【請求項５】
前記第１のベースバンド処理チップは、前記第２のベースバンド処理チップに代わって動作を実行することによって前記第２のベースバンド処理チップのプロキシとして機能するように構成された、請求項１に記載の通信デバイス。
【請求項６】
前記第２のベースバンド処理チップは、前記第１のベースバンド処理チップが前記第２のベースバンド処理チップのプロキシとして機能する間にスリープモードに入るように構成された、請求項１に記載の通信デバイス。
【請求項７】
前記第１のベースバンド処理チップは、前記第２のベースバンド処理チップに代わって電子メール動作を実行するように構成された、請求項１に記載の通信デバイス。
【請求項８】
前記第１のベースバンド処理チップは、前記第２のベースバンド処理チップに代わってインスタントメッセージング（ＩＭ）動作を実行するように構成された、請求項１に記載の通信デバイス。
【請求項９】
前記第１のベースバンド処理チップは、前記第２のベースバンド処理チップに向けられたアクティブ要求の受信を監視するように構成された、請求項１に記載の通信デバイス。
【請求項１０】
アクティブ要求を受信すると、
前記第２のベースバンド処理チップは、アクティブモードに入るように構成され、
前記第１のベースバンド処理チップは、前記第２のベースバンド処理チップに代わって動作を実行するのを停止することによってプロキシとして機能するのを停止するように構成された、
請求項１に記載の通信デバイス。
【請求項１１】
前記第１のマルチプレクサは、前記複数のベースバンド処理チップのうちの１つに組み込まれる、請求項１に記載の通信デバイス。
【請求項１２】
前記複数のベースバンド処理チップのうちの少なくとも１つは、前記通信デバイス上で実行している１つまたは複数のアプリケーションを管理するように構成された、請求項１に記載の通信デバイス。
【請求項１３】
前記複数のベースバンド処理チップのうちの少なくとも１つは、前記通信デバイスのディスプレイを管理するように構成された、請求項１に記載の通信デバイス。
【請求項１４】
前記複数のベースバンド処理チップに通信可能に結合され、
第３の接続を確立するために、前記第１のベースバンド処理チップを第１のトランシーバに選択的に結合することと、
前記第３の接続と同時に動作可能な第４の接続を確立するために、前記第２のベースバンド処理チップを第２のトランシーバに選択的に結合することと
を行うように構成された第２のマルチプレクサをさらに備える、請求項１に記載の通信デバイス。
【請求項１５】
利用可能なネットワークを探索することと、
前記探索に基づいて１つまたは複数のネットワークを選択することと、
前記１つまたは複数のネットワークの各々のための動作周波数帯域を選択することと、
前記１つまたは複数のネットワークの各々のための前記複数のトランシーバのうちの１つを選択することと、
を行うように構成されたマルチプレクサコントローラをさらに備える、請求項１に記載の通信デバイス。
【請求項１６】
再構成可能なマルチチップＷＷＡＮ処理プラットフォームを確立するための方法であって、
第１のマルチプレクサを複数のベースバンド処理チップに通信可能に結合することと、
第１の接続を確立するために、第１のベースバンド処理チップを第１のユニバーサル集積回路カード（ＵＩＣＣ）モジュールに選択的に結合することと、
前記第１の接続と同時に動作可能な第２の接続を確立するために、第２のベースバンド処理チップを第２のＵＩＣＣモジュールに選択的に結合することと、
前記第２のＵＩＣＣモジュールから前記第２のベースバンド処理チップを分離することと、
前記第２のベースバンド処理チップによる電力の消費と比較して前記第１のベースバンド処理チップによる低減された電力の消費に基づいて、前記第１のベースバンド処理チップを前記第２のＵＩＣＣモジュールに結合することと、
を備える方法。
【請求項１７】
前記第１のベースバンド処理チップを第１のトランシーバに選択的に結合することと、
前記第２のベースバンド処理チップを第２のトランシーバに選択的に結合することと、
をさらに備える、請求項１６に記載の方法。
【請求項１８】
前記第１の接続は、前記第１のＵＩＣＣモジュールに結合された前記第１のベースバンド処理チップと、前記第１のトランシーバに結合された前記第１のベースバンド処理チップとを備える、請求項１７に記載の方法。
【請求項１９】
前記第２の接続は、前記第２のＵＩＣＣモジュールに結合された前記第２のベースバンド処理チップと、前記第２のトランシーバに結合された前記第２のベースバンド処理チップとを備える、請求項１７に記載の方法。
【請求項２０】
前記第１のベースバンド処理チップが、前記第２のベースバンド処理チップに代わって動作を実行することによって前記第２のベースバンド処理チップのプロキシとして機能することをさらに備える、請求項１６に記載の方法。
【請求項２１】
前記第２のベースバンド処理チップが、前記第１のベースバンド処理チップが前記第２のベースバンド処理チップのプロキシとして機能する間にスリープモードに入ることをさらに備える、請求項１６に記載の方法。
【請求項２２】
前記第１のベースバンド処理チップが、前記第２のベースバンド処理チップに代わって電子メール動作を実行することをさらに備える、請求項１６に記載の方法。
【請求項２３】
前記第１のベースバンド処理チップが、前記第２のベースバンド処理チップに代わってインスタントメッセージング（ＩＭ）動作を実行することをさらに備える、請求項１６に記載の方法。
【請求項２４】
前記第１のベースバンド処理チップが、前記第２のベースバンド処理チップに向けられたアクティブ要求の受信を監視することをさらに備える、請求項１６に記載の方法。
【請求項２５】
アクティブ要求を受信すると、
前記第２のベースバンド処理チップが、アクティブモードに入ることと、
前記第１のベースバンド処理チップが、前記第２のベースバンド処理チップに代わって動作を実行するのを停止することによってプロキシとして機能するのを停止すること
をさらに備える、請求項１６に記載の方法。
【請求項２６】
前記第１のマルチプレクサが、前記複数のベースバンド処理チップのうちの１つに組み込まれる、請求項１６に記載の方法。
【請求項２７】
少なくとも１つのベースバンド処理チップが、前記通信デバイス上で実行している１つまたは複数のアプリケーションを管理することをさらに備える、請求項１６に記載の方法。
【請求項２８】
少なくとも１つのベースバンド処理チップが、前記通信デバイスのディスプレイを管理することをさらに備える、請求項１６に記載の方法。
【請求項２９】
第２のマルチプレクサを複数のベースバンド処理チップに通信可能に結合することと、
第３の接続を確立するために、前記第１のベースバンド処理チップを第１のトランシーバに選択的に結合することと、
前記第３の接続と同時に動作可能な第４の接続を確立するために、前記第２のベースバンド処理チップを第２のトランシーバに選択的に結合することと、
をさらに備える、請求項１６に記載の方法。
【請求項３０】
利用可能なネットワークを探索することと、
前記探索に基づいて１つまたは複数のネットワークを選択することと、
前記１つまたは複数のネットワークの各々のための動作周波数帯域を選択することと、
前記１つまたは複数のネットワークの各々のための前記複数のトランシーバのうちの１つを選択することと、
をさらに備える、請求項１６に記載の方法。
【請求項３１】
再構成可能なマルチチップＷＷＡＮ処理プラットフォームを確立するためのシステムであって、
第１のマルチプレクサを複数のベースバンド処理チップに通信可能に結合する手段と、
第１の接続を確立するために、第１のベースバンド処理チップを第１のユニバーサル集積回路カード（ＵＩＣＣ）モジュールに選択的に結合する手段と、
前記第１の接続と同時に動作可能な第２の接続を確立するために、第２のベースバンド処理チップを第２のＵＩＣＣモジュールに選択的に結合する手段と、
前記第２のＵＩＣＣモジュールから前記第２のベースバンド処理チップを分離する手段と、
前記第２のベースバンド処理チップによる電力の消費と比較して前記第１のベースバンド処理チップによる低減された電力の消費に基づいて、前記第１のベースバンド処理チップを前記第２のＵＩＣＣモジュールに結合する手段と、
を備えるシステム。
【請求項３２】
前記第１のベースバンド処理チップを第１のトランシーバに選択的に結合する手段と、
前記第２のベースバンド処理チップを第２のトランシーバに選択的に結合する手段と、
をさらに備える、請求項３１に記載のシステム。
【請求項３３】
前記第１の接続は、前記第１のＵＩＣＣモジュールに結合された前記第１のベースバンド処理チップと、前記第１のトランシーバに結合された前記第１のベースバンド処理チップとを備える、請求項３１に記載のシステム。
【請求項３４】
前記第２の接続は、前記第２のＵＩＣＣモジュールに結合された前記第２のベースバンド処理チップと、前記第２のトランシーバに結合された前記第２のベースバンド処理チップとを備える、請求項３１に記載のシステム。
【請求項３５】
再構成可能なマルチチップＷＷＡＮ処理プラットフォームを確立するためのコンピュータプログラムであって、
コンピュータに、第１のマルチプレクサを複数のベースバンド処理チップに通信可能に結合させるコードと、
前記コンピュータに、第１の接続を確立するために、第１のベースバンド処理チップを第１のユニバーサル集積回路カード（ＵＩＣＣ）モジュールに選択的に結合させるコードと、
前記コンピュータに、前記第１の接続と同時に動作可能な第２の接続を確立するために、第２のベースバンド処理チップを第２のＵＩＣＣモジュールに選択的に結合させるコードと、
前記コンピュータに、前記第２のＵＩＣＣモジュールから前記第２のベースバンド処理チップを分離させるコードと、
前記コンピュータに、前記第２のベースバンド処理チップによる電力の消費と比較して前記第１のベースバンド処理チップによる低減された電力の消費に基づいて、前記第１のベースバンド処理チップを前記第２のＵＩＣＣモジュールに結合させるコードと、
を備えるコンピュータプログラム。
【請求項３６】
前記コンピュータに、前記第１のベースバンド処理チップを第１のトランシーバに選択的に結合させるコードと、
前記コンピュータに、前記第２のベースバンド処理チップを第２のトランシーバに選択的に結合させるコードと、
をさらに備える、請求項３５に記載のコンピュータプログラム。
【請求項３７】
前記第１の接続は、前記第１のＵＩＣＣモジュールに結合された前記第１のベースバンド処理チップと、前記第１のトランシーバに結合された前記第１のベースバンド処理チップとを備える、請求項３５に記載のコンピュータプログラム。
【請求項３８】
前記第２の接続は、前記第２のＵＩＣＣモジュールに結合された前記第２のベースバンド処理チップと、前記第２のトランシーバに結合された前記第２のベースバンド処理チップとを備える、請求項３５に記載のコンピュータプログラム。
【発明の詳細な説明】
【背景技術】
【０００１】
[0001]ワイヤレス通信システムは、ボイス、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、および３ＧＰＰ  Ｌｏｎｇ  Ｔｅｒｍ  Ｅｖｏｌｕｔｉｏｎ（ＬＴＥ）がある。
【０００２】
[0002]概して、ワイヤレス多元接続通信システムは、複数のワイヤレス端末のための通信を同時にサポートすることができる。各端末は、順方向リンクおよび逆方向リンク上での送信を介して１つまたは複数の基地局と通信する。順方向リンク（またはダウンリンク）は、基地局から端末への通信リンクを指し、逆方向リンク（またはアップリンク）は、端末から基地局への通信リンクを指す。
【０００３】
[0003]ワイヤレスネットワークは、ワイヤレス端末が、無線、衛星、およびモバイルフォン技術を使用して、リモートプライベートまたは公衆ネットワークを介した基地局とのワイヤレス接続を確立することを可能にする。ワイヤレスネットワークの一例としては、ワイヤレスワイドエリアネットワーク（ＷＷＡＮ）がある。ＷＷＡＮは、上記で説明した多元接続システムによって提供されるモバイル電気通信セルラーネットワーク技術を使用してデータを送信および受信する。ＷＷＡＮ接続性をもつワイヤレス端末は複数のＷＷＡＮデータ技術をサポートすることができるが、ワイヤレス端末は、しばしば、所与の時間にただ１つのＷＷＡＮ技術をサポートすることが可能である。
【発明の概要】
【０００４】
[0004]再構成可能なマルチチップＷＷＡＮ処理プラットフォームに複数のＷＷＡＮデータ技術の同時アグリゲーションを与えるためのシステム、方法、デバイス、およびコンピュータプログラム製品について説明する。いくつかの例では、モバイルデバイスは、少なくとも１つのマルチプレクサと、いくつかのベースバンド処理チップと、いくつかのトランシーバと、いくつかのユニバーサル集積回路カード（ＵＩＣＣ）モジュールとを含む。マルチプレクサは、いくつかのベースバンド処理チップに通信可能に結合され得る。マルチプレクサは、第１の接続を確立するために、第１のベースバンド処理チップを第１のＵＩＣＣモジュールに選択的に結合し得る。さらに、マルチプレクサは、第１の接続と同時に動作可能である第２の接続を確立するために、第２のベースバンドチップを第２のＵＩＣＣモジュールに選択的に結合し得る。さらに、マルチプレクサは、第１のＷＷＡＮとの通信を可能にするために、第１のベースバンド処理チップを第１のトランシーバに結合し得、第２のベースバンド処理チップは、第２のＷＷＡＮとの同時通信を行うために、第２のトランシーバに結合され得る。
【０００５】
[0005]一構成では、第１の接続は、第１のＵＩＣＣモジュールに結合された第１のベースバンド処理チップと、第１のトランシーバに結合された第１のベースバンド処理チップとを含み得る。第２の接続は、第２のＵＩＣＣモジュールに結合された第２のベースバンド処理チップと、第２のトランシーバに結合された第２のベースバンド処理チップとを含み得る。
【０００６】
[0006]一例では、第１のマルチプレクサは、第２のＵＩＣＣモジュールから第２のベースバンド処理チップを分離し、第１のベースバンド処理チップを第２のＵＩＣＣモジュールに結合し得る。これは、第２のベースバンド処理チップによる電力の消費と比較した第１のベースバンド処理チップによる電力の低減された消費に基づいて行われ得る。その結果、第１のベースバンド処理チップは、第２のベースバンド処理チップのプロキシとして機能し得る。たとえば、第１のベースバンド処理チップは、第２のベースバンド処理チップに代わって動作を実行し得る。第２のベースバンド処理チップは、第１のベースバンド処理チップがプロキシとして機能する間にスリープモードに入り得る。
【０００７】
[0007]一構成では、第２のベースバンド処理チップのプロキシになることの一部として、第１のベースバンド処理チップは、第２のベースバンド処理チップに代わって電子メール動作を実行し得る。別の構成では、第１のベースバンド処理チップは、第２のベースバンド処理チップに代わってインスタントメッセージング（ＩＭ）動作を実行し得る。プロキシ動作中に、第１のベースバンド処理チップは、第２のベースバンド処理チップに向けられたアクティブ要求の受信を監視し得る。アクティブ要求を受信すると、第２のベースバンド処理チップはアクティブモードに入り得る。第２のベースバンド処理チップがアクティブモードに入ったとき、第１のベースバンド処理チップは、プロキシとして機能するのを停止し得る。たとえば、第１のベースバンド処理チップは、第２のベースバンド処理チップに代わって動作を実行するのを停止し得る。
【０００８】
[0008]一例では、第１のマルチプレクサは、複数のベースバンド処理チップのうちの１つに組み込まれ得る。複数のベースバンド処理チップのうちの少なくとも１つは、通信デバイス上で実行している１つまたは複数のアプリケーションを管理し得る。たとえば、複数のベースバンド処理チップのうちの少なくとも１つは、通信デバイスのディスプレイを管理し得る。
【０００９】
[0009]一構成では、通信デバイスは第２のマルチプレクサをさらに含み得る。第２のマルチプレクサは、複数のベースバンド処理チップに通信可能に結合され得る。一例では、第２のマルチプレクサは、第３の接続を確立するために、第１のベースバンド処理チップを第１のトランシーバに選択的に結合し得、第４の接続を確立するために、第２のベースバンド処理チップを第２のトランシーバに選択的に結合し得る。第４の接続は、第３の接続と同時に動作可能であり得る。
【００１０】
[0010]通信デバイスはまた、マルチプレクサコントローラを含み得る。コントローラは、利用可能なネットワークを探索し、探索に基づいて１つまたは複数のネットワークを選択し得る。さらに、コントローラは、１つまたは複数のネットワークの各々のための動作周波数帯域を選択し、１つまたは複数のネットワークの各々のための複数のトランシーバのうちの１つを選択し得る。
【００１１】
[0011]再構成可能なマルチチップＷＷＡＮ処理プラットフォームを確立するための方法についても説明する。一構成では、第１のマルチプレクサは、複数のベースバンド処理チップに通信可能に結合され得る。第１のベースバンド処理チップは、第１の接続を確立するために、第１のユニバーサル集積回路カード（ＵＩＣＣ）チップに選択的に結合され得る。第２のベースバンド処理チップは、第２の接続を確立するために、第２のＵＩＣＣモジュールに選択的に結合され得る。第２の接続は、第１の接続と同時に動作可能であり得る。さらに、第１のベースバンド処理チップは、第１のネットワークとの通信を行うために、第１のトランシーバに選択的に結合され得る。さらに、第２のベースバンド処理チップは、第２のネットワークとの通信を行うために、第２のトランシーバに選択的に結合され得る。第１のネットワークと第２のネットワークとの通信は、第１のトランシーバと第２のトランシーバとを介して並列にアクセス可能であり得る。
【００１２】
[0012]再構成可能なマルチチップＷＷＡＮ処理プラットフォームを確立するためのシステムについても説明する。本システムは、第１のマルチプレクサを複数のベースバンド処理チップに通信可能に結合するための手段を含み得る。さらに、本システムは、第１の接続を確立するために、第１のベースバンド処理チップを第１のユニバーサル集積回路カード（ＵＩＣＣ）モジュールに選択的に結合するための手段を含み得る。さらに、本システムは、第１の接続と同時に動作可能な第２の接続を確立するために、第２のベースバンド処理チップを第２のＵＩＣＣモジュールに選択的に結合するための手段を含み得る。さらに、本システムは、第１のネットワークへのアクセスを与えるために、第１のベースバンド処理チップを第１のトランシーバに選択的に結合するための手段を含み得る。本システムはまた、第１のネットワークへのアクセスと同時に、第２のネットワークとの通信を確立するために、第２のベースバンド処理チップを第２のトランシーバに選択的に結合するための手段を提供し得る。
【００１３】
[0013]再構成可能なマルチチップＷＷＡＮ処理プラットフォームを確立するためのコンピュータプログラム製品についても説明する。本コンピュータプログラム製品は非一時的コンピュータ可読媒体を含み得る。本媒体は、第１のマルチプレクサを複数のベースバンド処理チップに通信可能に結合するためのコードと、第１の接続を確立するために、第１のベースバンド処理チップを第１のユニバーサル集積回路カード（ＵＩＣＣ）モジュールに選択的に結合するためのコードとを含み得る。本媒体は、第１の接続と同時に動作可能な第２の接続を確立するために、第２のベースバンド処理チップを第２のＵＩＣＣモジュールに選択的に結合するためのコードをさらに含み得る。さらに、本媒体はまた、第１のネットワークとの通信を行うために、第１のベースバンド処理チップを第１のトランシーバに選択的に結合するためのコードと、第１のネットワークとの確立された通信と同時に第２のネットワークとの通信を確立するために、第２のベースバンド処理チップを第２のトランシーバに選択的に結合するためのコードとを含み得る。
【００１４】
[0014]上記では、開示による例の特徴および技術的態様についてやや広く概説した。以下で、追加の特徴について説明する。開示する概念および具体例は、本開示の同じ目的を実行するための他の構造を変更または設計するための基礎として容易に利用され得る。そのような等価な構成は、添付の特許請求の範囲の趣旨および範囲から逸脱しない。本明細書で開示する概念の編成と動作の方法の両方に関して、それらの概念を特徴づけると考えられる特徴は、添付の図に関連して以下の説明を検討するとより良く理解されよう。図の各々は、例示および説明のみの目的で与えられ、特許請求の範囲の限界を定めるものではない。
【００１５】
[0015]以下の図面を参照すれば、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００１６】
【図１】ワイヤレス通信システムのブロック図。
【図２】モバイルデバイスのブロック図。
【図３】モバイルデバイスのさらなる一例のブロック図。
【図３Ａ】マルチプレクサコントローラの一例を示す図。
【図４】モバイルデバイス中に実装され得るマルチチップ処理プラットフォームの一例のブロック図。
【図５】マルチチップ処理プラットフォームのさらなる一例のブロック図。
【図６】マルチチップ処理プラットフォームの別の例のブロック図。
【図７】マルチチップ処理プラットフォームを使用して異なるワイヤレスワイドエリアネットワーク（ＷＷＡＮ）データ技術に同時にアクセスするための方法のフローチャート。
【図８】マルチチップ処理プラットフォームを使用して異なるＷＷＡＮデータ技術に同時にアクセスするための方法の別の例のフローチャート。
【図９】モバイルデバイス内で低電力動作状態を確立するための方法のフローチャート。
【図１０】モバイルデバイス内でプロキシ動作モードを確立するための方法の一例のフローチャート。
【図１１】モバイルデバイス内でプロキシ動作モードを中止するための方法のフローチャート。
【図１２】モバイルデバイス中に含まれるマルチチップＷＷＡＮ処理プラットフォームを再構成するための方法のフローチャート。
【図１３】選択されたネットワークにわたって通信するために特定のトランシーバを選択するための方法１３００の一例を示すフローチャート。
【発明を実施するための形態】
【００１７】
[0030]通信デバイス上で再構成可能なマルチチップＷＷＡＮ処理プラットフォームを与えるためのシステム、方法、およびコンピュータプログラム製品について説明する。処理プラットフォームは、通信デバイスが複数のＷＷＡＮデータ技術に同時にアクセスすることを可能にし得る。プラットフォームは、少なくとも１つのマルチプレクサと、いくつかのベースバンド処理チップと、いくつかのＵＩＣＣモジュールと、いくつかのトランシーバとを含み得る。各ＵＩＣＣモジュールおよびトランシーバは、異なるＷＷＡＮデータ技術へのアクセスをデバイスに与え得る。異なるＷＷＡＮデータ技術を通信デバイスに同時に与えるために、マルチプレクサは、第１の接続を確立するために、第１のベースバンド処理チップを第１のＵＩＣＣモジュールおよび／または第１のトランシーバと動的に接続し得る。第１の接続は、デバイスに第１のＷＷＡＮデータ技術へのアクセスを与え得る。マルチプレクサはまた、第２の接続を確立するために、第２のベースバンド処理チップを第２のＵＩＣＣモジュールおよび／または第２のトランシーバと動的に接続し得る。第２の接続は、デバイスに第２のＷＷＡＮデータ技術へのアクセスを与え得る。その結果、デバイスは、異なるＷＷＡＮデータ技術を同時に使用し得る。
【００１８】
[0031]さらに、デバイスが低電力状態に入ったとき、マルチプレクサは、ＵＩＣＣモジュールおよび／またはトランシーバを、他のベースバンド処理チップと比較してより少ない量の電力を消費するベースバンド処理チップに接続し得る。接続されたベースバンド処理チップは、ＵＩＣＣモジュールおよび／またはトランシーバに接続されていないベースバンド処理チップのプロキシとして働き得る。接続されたベースバンド処理チップは、未接続のベースバンド処理チップをアクティブにするようにとの要求が受信されるまで、プロキシとして働き続け得る。少なくとも１つのマルチプレクサは、次いで、アクティブにされたベースバンド処理チップをＵＩＣＣモジュールおよび／またはトランシーバと接続し得る。
【００１９】
[0032]本明細書で説明する技法は、符号分割多重接続（ＣＤＭＡ）、時分割多重接続（ＴＤＭＡ）、周波数分割多重接続（ＦＤＭＡ）、直交ＦＤＭＡ（ＯＦＤＭＡ）、シングルキャリアＦＤＭＡ（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などの技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、広帯域ＣＤＭＡ（ＷＣＤＭＡ（登録商標））およびＣＤＭＡの他の変形態を含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの技術を実装し得る。ＯＦＤＭＡシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。
【００２０】
[0033]本明細書で説明する技法は、上述のシステムおよび技術、ならびに他のシステムおよび技術のために使用され得る。ワイヤレスシステム中のモバイルデバイスは、デバイスが、システムによって実装される様々な技術に同時にアクセスすることを可能にする、説明するマルチチッププラットフォームを含み得る。
【００２１】
[0034]以下の説明は、例を与えるものであり、特許請求の範囲に記載された範囲、適用可能性、または構成を限定するものではない。本開示の趣旨および範囲から逸脱することなく、説明する要素の機能および構成において変更が行われ得る。様々な実施形態は、様々なプロシージャまたは構成要素を適宜に省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００２２】
[0035]最初に図１を参照すると、ブロック図に、ワイヤレス通信システム１００の一例が示されている。システム１００は、基地局１０５と、モバイルデバイス１１５と、基地局コントローラ１２０と、コアネットワーク１２５とを含む（コントローラ１２０はコアネットワーク１２５に組み込まれ得る）。システム１００は、複数のキャリア（異なる周波数の波形信号）上での動作をサポートし得る。
【００２３】
[0036]基地局１０５は、基地局アンテナ（図示せず）を介してモバイルデバイス１１５とワイヤレス通信し得る。基地局１０５は、複数のキャリアを介してコントローラ１２０の制御下でモバイルデバイス１１５と通信するように構成される。基地局１０５のサイトの各々は、それぞれの地理的エリアに通信カバレージを与えることができる。各基地局１０５のためのカバレージエリアは、ここでは、１１０ａ、１１０ｂ、または１１０ｃとして識別される。基地局のためのカバレージエリアは、（図示されていないが、カバレージエリアの一部分のみを構成する）セクタに分割され得る。システム１００は、異なるタイプの基地局１０５（たとえば、マクロ基地局、マイクロ基地局、および／またはピコ基地局）を含み得る。異なる技術のための重複するカバレージエリアがあり得る。
【００２４】
[0037]モバイルデバイス１１５はカバレージエリア１１０全体にわたって分散され得る。モバイルデバイス１１５は、移動局、モバイルデバイス、アクセス端末（ＡＴ）、ユーザ機器（ＵＥ）、加入者局（ＳＳ）、または加入者ユニットと呼ばれることがある。モバイルデバイス１１５は、セルラーフォンとワイヤレス通信デバイスとを含み得るが、携帯情報端末（ＰＤＡ）、他のハンドヘルドデバイス、ネットブック、ノートブックコンピュータなどをも含み得る。
【００２５】
[0038]基地局１０５は異なるデータ技術を与え得る。たとえば、ある基地局は高速パケットアクセス（ＨＳＰＡ）技術を与え得、別の（または同じ）基地局はＬｏｎｇ  Ｔｅｒｍ  Ｅｖｏｌｕｔｉｏｎ（ＬＴＥ）技術をも与え得る。モバイルデバイス１１５は、それらが異なる技術をサポートすることを可能にするアーキテクチャを含み得る。たとえば、単一のモバイルデバイス１１５は、モバイルデバイスがＨＳＰＡとＬＴＥとを同時にサポートすることを可能にするアーキテクチャを含み得る。一構成では、各モバイルデバイス１１５上にインストールされたアーキテクチャは、少なくとも１つのマルチプレクサと、いくつかのベースバンド処理チップと、いくつかのＵＩＣＣモジュールと、いくつかのトランシーバとを含み得る。各ＵＩＣＣモジュールおよびトランシーバは、異なる基地局１０５によって与えられる異なるＷＷＡＮデータ技術をサポートし得る。マルチプレクサは、第１の接続を確立するために、第１のベースバンド処理チップを第１のＵＩＣＣモジュールおよび／または第１のトランシーバと選択的に接続し得る。第１の接続は、それぞれのモバイルデバイスが、基地局によって与えられる第１のＷＷＡＮデータ技術をサポートすることを可能にし得る。マルチプレクサはまた、第２の接続を確立するために、第２のベースバンド処理チップを第２のＵＩＣＣモジュールおよび／または第２のトランシーバと選択的に接続し得る。第２の接続は、それぞれのデバイスに、異なる基地局によって与えられる第２のＷＷＡＮデータ技術をサポートする能力を与え得る。さらに、アーキテクチャは、モバイルデバイスが、利用可能なネットワークを探索することと、ネットワークを選択することと、選択されたネットワークとの通信を確立するためにモバイルデバイスの特定のトランシーバを選択することとを可能にし得る。選択されたトランシーバは、選択されたネットワークと通信するように特別に設計され得る。
【００２６】
[0039]図２は、モバイルデバイス１１５ａの一構成を示すブロック図２００である。これは、図１のモバイルデバイス１１５の一例であり得る。デバイスは、いくつかのベースバンド処理チップ２０５ａと、いくつかのＵＩＣＣモジュール２１０ａと、いくつかのトランシーバ２２０ａと、マルチプレクサ２１５とを含み得る。ＵＩＣＣモジュールは、ＵＩＣＣカード、加入者識別モジュール（ＳＩＭ）カード、または仮想ＳＩＭ（ＶＳＩＭ）と呼ばれるＳＩＭ／ＵＩＣＣ能力のソフトウェア実装形態であり得る。ＵＩＣＣモジュールは、３Ｇ  ＵＭＴＳ／ＬＴＥ／ＣＤＭＡネットワークにおける加入者／認証情報およびストレージを管理するためのユニバーサルＳＩＭ（ＵＳＩＭ）／ＣＤＭＡ  ＳＩＭ（ＣＳＩＭ）アプリケーションを含み得る。ＳＩＭカードは、ＧＳＭ／ＧＰＲ／ＥＤＧＥネットワークにおける認証情報およびストレージを管理するためのＳＩＭソフトウェアアプリケーションを含み得る。一例では、いくつかのベースバンド処理チップ２０５ａおよびいくつかのＵＩＣＣモジュール２１０ａがマルチプレクサ２１５に接続され得る。さらに、いくつかのトランシーバ２２０ａもマルチプレクサ２１５に接続され得る。
【００２７】
[0040]一例では、マルチプレクサ２１５は、モバイルデバイス１１５ａ中の別個のチップ上で利用可能にされ得る。別の例では、マルチプレクサ２１５は、既存のベースバンド処理チップ２０５ａのうちの１つ内に組み込まれ得る。マルチプレクサ２１５は、モバイルデバイス１１５ａが異なるデータ技術を同時にサポートし、いくつかのトランシーバを介して異なるネットワークに接続することを可能にし得る。一構成では、マルチプレクサ２１５は、第１のデータ技術をサポートする第１の接続を確立するために、第１のベースバンド処理チップ２０５ａ１を第１のＵＩＣＣモジュール２１０ａ１と選択的に接続し得る。マルチプレクサ２１５はまた、第１のネットワークとの通信を確立するために、第１のベースバンド処理チップ２０５ａ１を第１のトランシーバ２２０ａ１と選択的に接続し得る。さらに、マルチプレクサは、第２の接続を確立するために、第２のベースバンド処理チップ２０５ａ２を第２のＵＩＣＣ２１０ａ２と選択的に接続し得る。第２の接続は、モバイルデバイス１１５ａが、第１のデータ技術を同時にサポートしながら、第２のデータ技術をサポートすることを可能にし得る。マルチプレクサ２１５はまた、第２のネットワークとの通信を確立するために、第２のベースバンド処理チップ２０５ａ２を第２のトランシーバ２２０ａ２と選択的に接続し得る。その結果、上記のモバイルデバイス１１５ａのアーキテクチャは、モバイルデバイス１１５ａが異なるＷＷＡＮ技術を同時にサポートし、いくつかのトランシーバを介して複数のネットワーク上で同時に通信することを可能にし得る。
【００２８】
[0041]図３は、モバイルデバイス１１５ａの一例を示すブロック図３００である。これは、図１のモバイルデバイス１１５の一例であり得る図２のモバイルデバイス１１５ａの一例であり得る。モバイルデバイス１１５ａは、いくつかのベースバンド処理チップ２０５ａと、いくつかのＵＩＣＣモジュール２１０ａと、いくつかのトランシーバ２２０ａと、マルチプレクサ２１５とを含み得る。さらに、モバイルデバイス１１５ａは、マルチプレクサコントローラ３２５と、スイッチングモジュール３３０と、いくつかのアンテナ３３５ａとを含み得る。
【００２９】
[0042]各ベースバンド処理チップ２０５ａは、選択されたＵＩＣＣモジュールによって与えられたワイヤレス技術を使用し、選択されたトランシーバを介してワイヤレスネットワークに接続するために、マルチプレクサ２１５を介していずれかのＵＩＣＣモジュール（ＵＩＣＣモジュール１  ２１０ａ１またはＵＩＣＣモジュール２  ２１０ａ２）といずれかのトランシーバ（第１のトランシーバ２２０ａ１または第２のトランシーバ２２０ａ２）とに接続し得る。マルチプレクサコントローラ３２５は、ベースバンド処理チップ２０５ａとＵＩＣＣモジュール２１０ａとトランシ−バ２２０ａとの間の動的接続を管理するようにマルチプレクサ２１５を制御し得る。
【００３０】
[0043]マルチプレクサ２１５は、モバイルデバイス１１５ａが同時アグリゲーションモードに入ることを可能にし得る。同時アグリゲーションモードでは、ベースバンド処理チップ１  ２０５ａ１は、ネットワークとネットワークによって与えられるデータ技術とにアクセスするために、（第１のトランシーバ２２０ａ１または第２のトランシーバ２２０ａ２などの）トランシーバおよび（ＵＩＣＣモジュール１  ２１０ａ１またはＵＩＣＣモジュール２  ２１０ａ２などの）ＵＩＣＣモジュールと接続し得る。ベースバンド処理チップ１  ２０５ａ１が接続されている間、ベースバンド処理チップ２  ２０５ａ２は、ベースバンド処理チップ１  ２０５ａ１と接続されていないトランシーバおよびＵＩＣＣと同時に接続し得る。たとえば、ベースバンド処理チップ１  ２０５ａ１は、第１のＷＷＡＮと第１のＷＷＡＮ技術とにアクセスするために、（マルチプレクサ２１５を介して）ＵＩＣＣモジュール１  ２１０ａ１と第１のトランシーバ２２０ａ１とに接続し得、ベースバンド処理チップ２  ２０５ａ２は、第２のＷＷＡＮと第２のＷＷＡＮ技術とにアクセスするために、（同じくマルチプレクサ２１５を介して）ＵＩＣＣモジュール２  ２１０ａ２と第２のトランシーバ２２０ａ１とに同時に接続し得る。
【００３１】
[0044]マルチプレクサ２１５はまた、既存の接続を動的に変え得る。たとえば、マルチプレクサ２１５は、ベースバンド処理チップ１  ２０５ａ１とＵＩＣＣモジュール１  ２１０ａ１と第１のトランシーバ２２０ａ１との間の接続を、ベースバンド処理チップ１  ２０５ａ１とＵＩＣＣモジュール２  ２１０ａ２と第２のトランシーバ２２０ａ２との間の接続に変更し得る。同様に、マルチプレクサ２１５は、ベースバンド処理チップ２  ２０５ａ２とＵＩＣＣモジュール２  ２１０ａ２と第２のトランシーバ２２０ａ２との間の接続を、ベースバンド処理チップ２  ２０５ａ２とＵＩＣＣモジュール１  ２１０ａ１と第１のトランシーバ２２０ａ１との間の接続に変更し得る。言い換えれば、マルチプレクサ２１５は、モバイルデバイス１１５ａ中のベースバンド処理チップ２０５ａとＵＩＣＣモジュール２１０ａとトランシーバ２２０ａとの間の様々なタイプの接続を可能にし得る。
【００３２】
[0045]一構成では、マルチプレクサコントローラ３２５はまた、デバイス１１５ａがネットワークとの通信を確立する前に、またはデバイスが現在のネットワーク接続上で通信している間に、利用可能なネットワークを探索し得る。たとえば、図３Ａに、マルチプレクサコントローラ３２５ａの一例を示す。コントローラ３２５ａは、図３のマルチプレクサコントローラ３２５の一例であり得る。一例では、コントローラ３２５ａは、デバイス１１５ａ上のトランシーバ２２０へのアクセスを有し得る。コントローラ３２５ａは、探索モジュール３４０と、ネットワーク選択モジュール３４５と、トランシーバ選択モジュール３５０とを含み得る。一構成では、探索モジュール３４０は、利用可能なネットワークを探索し得る。ネットワーク選択モジュール３４５は、利用可能なネットワークの探索中に発見されたいくつかのネットワークを選択し得る。一構成では、トランシーバ選択モジュール３５０は、各選択されたネットワークのためのデバイス１１５ａ上のいくつかのトランシーバのうちの１つを選択し得る。たとえば、ネットワーク選択モジュール３４５は、選択されたネットワークのための動作周波数帯域を選択し得る。第１のトランシーバ２２０ａ１は、第２のトランシーバ２２０ａ２よりも、選択された動作周波数帯域上で動作するように特別に設計され得る（またはより良好に同調され得る）。たとえば、第１のトランシーバ２２０ａ１は、第２のトランシーバ２２０ａ２よりも、この動作周波数帯域において改善された干渉消去を行い得る。その結果、トランシーバ選択モジュール３５０は、選択されたネットワークとの通信を実行するために第１のトランシーバ２２０ａ１を選択し得る。一構成では、マルチプレクサコントローラ３２５ａの機能は、ソフトウェア、ハードウェア、またはそれらの組合せで実装され得る。
【００３３】
[0046]再び図３を参照すると、信号がいくつかのアンテナ３３５ａを介して送信および受信され得る。デバイス１１５ａは、通信性能を改善するために複数のアンテナを使用することによって多入力多出力（ＭＩＭＯ）技術を採用し得る。一構成では、いくつかのアンテナ３３５ａのうちの１つまたは複数は、情報を送信および受信するためにアクティブであり得る。スイッチングモジュール３３０は、モバイルデバイス１１５ａの所望の通信性能に応じてアンテナ３３５ａの各々のアクティブ化／非アクティブ化を調整し得る。
【００３４】
[0047]一構成では、モバイルデバイス１１５ａは低データレート動作モードに入り得る。デバイス１１５ａが低データレート動作モードに入った場合、デバイス１１５ａは、単一のベースバンド処理チップ２０５ａと、単一のトランシーバ２２０ａと、単一のＵＩＣＣモジュール２１０ａとを使用して低データレートを達成することが望ましいことがある。低データレート動作モードにある間、デバイス１１５ａはまた、低電力が望まれる状態にあり得る。これが起こった場合、最小量の電力を消費する単一のベースバンド処理チップ２０５ａが使用されるべきである。モバイルデバイス１１５ａ中の各ベースバンド処理チップ２０５ａは、漏洩電力とアクティブ電力とに関して異なる特徴づけを有し得る。たとえば、ベースバンド処理チップ２  ２０５ａ２は、ベースバンド処理チップ１  ２０５ａ１と比較してより低い電力（すなわち、より低い漏洩電力および／またはアクティブ電力）を消費し得る。
【００３５】
[0048]上記で説明したように、デバイス１１５ａが低電力と低データレートとが望まれる状態に入った場合、デバイス１１５ａは、（他のベースバンド処理チップと比較して）最小量の電力を消費する単一のベースバンド処理チップ２０５ａをアクティブにすることが望ましい。一例では、デバイス１１５ａが低電力および低データレート状態に入ったとき、より大きい量の電力を消費する（ベースバンド処理チップ１  ２０５ａ１などの）ベースバンド処理チップが現在アクティブであることがある。その結果、マルチプレクサ２１５は、このチップを切断し、より少ない量の電力を消費する（ベースバンド処理チップ２  ２５ａ２などの）ベースバンド処理チップをＵＩＣＣモジュールとトランシーバとに接続し得る。一構成では、より低い電力のベースバンド処理チップは、より高い電力のベースバンド処理チップのプロキシになり得る。言い換えれば、マルチプレクサ２１５は、ベースバンド処理チップ１  ２０５ａ１をＵＩＣＣモジュールとトランシーバとから分離し、ベースバンド処理チップ１  ２０５ａ１による電力の消費と比較してベースバンド処理チップ２  ２０５ａ２による電力の低減された消費に基づいて、ベースバンド処理チップ２  ２０５ａ２をＵＩＣＣモジュールとトランシーバとに結合し得る。一例では、ベースバンド処理チップ２  ２０５ａ２が、ベースバンド処理チップ１  ２０５ａ１に代わって動作を実行することによってベースバンド処理チップ１  ２０５ａ１のプロキシとして働く間、ベースバンド処理チップ１  ２０５ａ１はスリープモードに入り得る。ベースバンド処理チップ１  ２０５ａ１は、特定のイベントが発生するまで、スリープモードのままであり得、ベースバンド処理チップ１  ２０５ａ１は、特定のイベントを実行するためにスリープモードから出てアクティブモードに戻り得る。
【００３６】
[0049]一例として、ベースバンド処理チップ１  ２０５ａ１は、アプリケーションを実行すること、デバイス１１５ａのディスプレイを動作させることなどによってより高いレートの電力を消費する処理チップであり得る。ベースバンド処理チップ２  ２０５ａ２は、そのような機能を実行し得ずまたは動作させ得ず、結果として、ベースバンド処理チップ１  ２０５ａ１よりも低い電力を消費する。前に説明したように、モバイルデバイス１１５ａがより低いデータレート動作モードに入った場合、１つのＵＩＣＣモジュールと１つのトランシーバとのみが使用中であり得る。たとえば、ＵＩＣＣモジュール２  ２１０ａ２と第２のトランシーバ２２０ａ２とが使用中でない間、ベースバンド処理チップ１  ２０５ａ１はＵＩＣＣモジュール１  ２１０ａ１と第１のトランシーバ２２０ａ１とを使用していることがある。モバイルデバイス１１５ａが、より低い電力消費も望まれる状態に入ったとき、ベースバンド処理チップ１  ２０５ａ１は、ＵＩＣＣモジュール１  ２１０ａ１と第１のトランシーバ２２０ａ１とを依然として利用していることがある。より低い電力消費が望まれるので、マルチプレクサ２１５は、ＵＩＣＣモジュール１  ２１０ａ１と第１のトランシーバ２２０ａ１との接続をベースバンド処理チップ１  ２０５ａ１からベースバンド処理チップ２  ２０５ａ２に動的に切り替え得る。その結果、マルチプレクサ２１５は、ベースバンド処理チップ２  ２０５ａ２がベースバンド処理チップ１  ２０５ａ１のプロキシになることを可能にすることによって、モバイルデバイス１１５ａが、（すなわち、１つのＵＩＣＣと１つのトランシーバとのみを使用して）より少ない電力を消費しながら、より低いデータレート動作モードにとどまることを可能にし得る。
【００３７】
[0050]ベースバンド処理チップ１  ２０５ａ１のプロキシ中にベースバンド処理チップ２  ２０５ａ２によって実行されるプロキシ動作は、限定はしないが、プロキシング電子メールまたはインスタントメッセージング（ＩＭ）アプリケーションなどのアプリケーションプロキシを含み得る。一構成では、ベースバンド処理チップ２  ２０５ａ２は、ＷＷＡＮを介してネットワークキープアライブメッセージ、ＩＭプレゼンス更新などに関係するメッセージを受信し得る。ＷＷＡＮを介して電子メール、チャットへのアクティブ要求、または配信されたツイッターメッセージなど、有意メッセージが到着したとき、ベースバンド処理チップ１  ２０５ａ１は、メッセージを受信するために、スリープモードを出てアクティブモードに入り得る。一構成では、到着した有意メッセージが遅延トレラントメッセージであると判断された場合、ベースバンド処理チップ１  ２０５ａ１がアクティブモードに入るアクションは、電力を節約するために遅延させられ得る。
【００３８】
[0051]次に図４を参照すると、ブロック図４００に、モバイルデバイス１１５ａの一例が示されている。これは、図１のモバイルデバイス１１５の一例であり得る図２のモバイルデバイス１１５ａの一例であり得る。モバイルデバイス１１５ａは、デバイス１１５ａが異なるＷＷＡＮと異なるＷＷＡＮデータ技術とに同時にアクセスすることを可能にする、再構成可能なマルチチップＷＷＡＮ処理プラットフォームを含み得る。一構成では、デバイス１１５ａの処理プラットフォームは、いくつかのベースバンド処理チップ２０５ａと、いくつかのＵＩＣＣモジュール２１０ａと、第１のマルチプレクサ２１５ａ１とを含み得る。第１のマルチプレクサ２１５ａ１は、第１の接続を確立するために、（ベースバンド処理チップ１  ２０５ａ１などの）第１のベースバンド処理チップを第１のＵＩＣＣモジュール２１０ａ１に選択的に結合し得る。第１のマルチプレクサ２１５はまた、第２の接続を確立するために、（ベースバンド処理チップ２  ２０５ａ２などの）第２のベースバンド処理チップを第２のＵＩＣＣモジュール２１０ａ２に選択的に結合し得る。第１の接続は、モバイルデバイス１１５ａに第１のＷＷＡＮデータ技術へのアクセスを与え得、第２の接続は、モバイルデバイス１１５ａに第２のＷＷＡＮデータ技術へのアクセス与え得る。一構成では、第２の接続は、第１の接続と同時に動作可能であり得る。
【００３９】
[0052]デバイス１１５ａのプラットフォームは、いくつかのトランシーバ２２０ａと、第２のマルチプレクサ２１５ａ２とをさらに含み得る。第２のマルチプレクサ２１５ａ２はまた、いくつかのベースバンド処理チップ２０５ａに通信可能に結合され得る。一構成では、第２のマルチプレクサ２１５ａ２は、第３の接続を確立するために、（ベースバンド処理チップ１  ２０５ａ１などの）第１のベースバンド処理チップを第１のトランシーバ２２０ａ１に選択的に結合し得る。第２のマルチプレクサ２１５ａ２はまた、第４の接続を確立するために、（ベースバンド処理チップ２  ２０５ａ２などの）第２のベースバンド処理チップを第２のトランシーバ２２０ａ２に選択的に結合し得る。第１の接続、第２の接続、第３の接続、および第４の接続は、同時に動作可能であり得る。一構成では、第３の接続は、モバイルデバイス１１５ａに特定のＷＷＡＮへのアクセスを与え得、第４の接続は、デバイス１１５ａに、第３の接続によって与えられるＷＷＡＮとは異なり得るＷＷＡＮへのアクセスを与え得る。したがって、モバイルデバイス１１５ａは、モバイルデバイス１１５ａが、様々なベースバンド処理チップと、ＵＩＣＣモジュールおよびトランシーバなどのデバイス１１５ａ内の他の構成要素との間の接続を確立することを可能にするために、任意の数のマルチプレクサをもつアーキテクチャを含み得る。これらの接続は、モバイルデバイス１１５ａ内の各ベースバンドプロセッサが、アーキテクチャ中のいくつかのマルチプレクサ２１５ａを介して任意のＵＩＣＣモジュール、トランシーバ、またはそれらの組合せに接続され得るように、再構成可能で動的であり得る。モバイルデバイス１１５ａは、ベースバンド処理チップと、モバイルデバイス１１５ａ内の他の構成要素との間の接続の可能な組合せを増加させるために、任意の数のマルチプレクサを含み得る。これらの様々な組合せの各々は、モバイルデバイス１１５ａに特定のＷＷＡＮと特定のＷＷＡＮデータ技術とへのアクセスを与え得る。マルチプレクサ２１５ａの使用により、モバイルデバイス１１５ａが、複数のＷＷＡＮと複数のＷＷＡＮデータ技術とに同時にアクセスすることを可能にし得る、様々な接続が同時に行われることが可能になる。
【００４０】
[0053]一構成では、モバイルデバイス１１５ａは、低データレート動作モードと低電力状態とに入り得る。第１のマルチプレクサ２１５ａ１または第２のマルチプレクサ２１５ａ２は、モバイルデバイス１１５ａ中の他のベースバンド処理チップと比較してより高いレートの電力を消費するベースバンド処理チップを切断し得る。マルチプレクサ２１５ａは、より少ない量の電力を消費する（ベースバンド処理チップ２２５ａ２などの）ベースバンド処理チップを、ＵＩＣＣモジュールと、モバイルデバイス１１５ａに所望のＷＷＡＮ技術へのアクセスを与えるトランシーバとに接続し得る。一構成では、より低い電力のベースバンド処理チップは、より高い電力のベースバンド処理チップのプロキシになり得る。一例として、第１のマルチプレクサ２１５ａ１は、ベースバンド処理チップ１  ２０５ａ１をＵＩＣＣモジュール１  ２１０ａ１から分離し得、第２のマルチプレクサ２１５ａ２は、ベースバンド処理チップ１  ２０５ａ１を第１のトランシーバ２２０ａ１から分離し得る。第１のマルチプレクサ２１５ａ１は、続いてベースバンド処理チップ２  ２０５ａ２をＵＩＣＣモジュール１  ２１０ａ１に結合し得、第２のマルチプレクサ２１５ａ２は、ベースバンド処理チップ１  ２０５ａ１による電力の消費と比較してベースバンド処理チップ２  ２０５ａ２による電力の低減された消費に基づいて、ベースバンド処理チップ２  ２０５ａ２を第１のトランシーバ２２０ａ１に結合し得る。一例では、ベースバンド処理チップ２  ２０５ａ２が、ベースバンド処理チップ１  ２０５ａ１に代わって動作を実行することによってベースバンド処理チップ１  ２０５ａ１のプロキシとして働く間、ベースバンド処理チップ１  ２０５ａ１はスリープモードに入り得る。ベースバンド処理チップ１  ２０５ａ１は、特定のイベントが発生するまで、スリープモードのままであり得、ベースバンド処理チップ１  ２０５ａ１は、特定のイベントを実行するためにスリープモードから出てアクティブモードに戻り得る。
【００４１】
[0054]一構成では、第１のマルチプレクサ２１５ａ１および第２のマルチプレクサ２１５ａ２は、モバイルデバイス１１５ａ内の同じチップ上にコロケートされ得ない。別の構成では、マルチプレクサ２１５ａは、デバイス１１５ａ内の同じチップ上にコロケートされ得る。マルチプレクサコントローラ３２５は、所望のＷＷＡＮと実装されるべき所望のＷＷＡＮデータ技術とに基づいて、ベースバンド処理チップ２０５ａと、いくつかのトランシーバ２１０ａと、いくつかのＵＩＣＣモジュール２２０ａとの間の接続を制御し得る。したがって、モバイルデバイス１１５ａのアーキテクチャ中に実装され得るいくつかのマルチプレクサ２１５ａの他の構成があり得る。
【００４２】
[0055]図５は、モバイルデバイス１１５ａの別の例を示すブロック図５００である。これは、図１または図２のモバイルデバイス１１５の一例であり得る。モバイルデバイス１１５ａは、モバイルデバイス１１５ａが、異なるＷＷＡＮに接続し、異なるＷＷＡＮ技術を同時に使用することを可能にするために、再構成可能なアーキテクチャを含み得る。一構成では、アーキテクチャは、いくつかのベースバンド処理チップ２０５ａと、いくつかのＵＩＣＣモジュール２１０ａと、少なくとも１つのマルチプレクサ２１５と、いくつかのトランシーバ２２０ａとを含み得る。ＵＩＣＣモジュール２１０ａの各々およびトランシーバ２２０ａの各々は、モバイルデバイス１１５ａに異なるＷＷＡＮへと異なるＷＷＡＮ技術へとのアクセスを与え得る。一例では、各ベースバンド処理チップ２０５ａは、マルチプレクサ２１５を使用せずにＵＩＣＣモジュール２１０ａに直接接続され得る。マルチプレクサ２１５は（マルチプレクサコントローラ３２５を介して）、特定のＷＷＡＮとの通信を確立する第１の接続を確立するために、（ベースバンド処理チップ１  ２０５ａ１などの）第１のベースバンド処理チップを（第１のトランシーバ２２０ａ１などの）トランシーバのうちの１つに動的に接続し得る。同様に、マルチプレクサ２１５は、モバイルデバイス１１５ａに異なるＷＷＡＮとの同時通信を与え得る第２の接続を確立するために、（第２のベースバンド処理チップ２０５ａ２などの）第２のベースバンド処理チップを（第２のトランシーバ２２０ａ２などの）異なるトランシーバに動的に接続し得る。その結果、ベースバンド処理チップ１  ２０５ａ１は、ＵＩＣＣモジュール１  ２１０ａ１に接続され、マルチプレクサ２１５を介して第１のトランシーバ２２０ａ１または第２のトランシーバ２２０ａ２のいずれかにも接続され得る。同様に、ベースバンド処理チップ２  ２０５ａ２は、マルチプレクサ２１５を介して、ＵＩＣＣモジュール２  ２１０ａ２ならびに第１のトランシーバ２２０ａ１または第２のトランシーバ２２０ａ２のいずれかに接続され得る。したがって、モバイルデバイス１１５ａのアーキテクチャ中にベースバンド処理チップと、ＵＩＣＣモジュールと、トランシーバとの間の接続の他の構成があり得る。
【００４３】
[0056]図６は、モバイルデバイス１１５ａの別の例を示すブロック図６００である。これは、図１のモバイルデバイス１１５の一例であり得る図２のモバイルデバイス１１５ａの一例であり得る。一例では、モバイルデバイス１１５ａは、モバイルデバイス１１５ａが、異なるＷＷＡＮ技術に同時にアクセスすることを可能にする、再構成可能なマルチチップ処理プラットフォームを含み得る。一構成では、プラットフォームは、いくつかのベースバンド処理チップ２０５ａと、いくつかのＵＩＣＣモジュール２１０ａと、少なくとも１つのマルチプレクサ２１５と、いくつかのトランシーバ２２０ａとを含み得る。ＵＩＣＣモジュール２１０ａとトランシーバ２２０ａとの各々は、モバイルデバイス１１５ａが、異なるＷＷＡＮと、各ＷＷＡＮに関連する異なる技術とにアクセスすることを可能にし得る。一例では、各ベースバンド処理チップ２０５ａは、マルチプレクサ２１５を使用せずに特定のトランシーバ２２０ａに直接接続され得る。マルチプレクサ２１５は（マルチプレクサコントローラ３２５を介して）、第１のＷＷＡＮデータ技術へのアクセスを与える第１の接続を確立するために、（ベースバンド処理チップ１  ２０５ａ１などの）第１のベースバンド処理チップを（ＵＩＣＣモジュール１  ２１０ａ１などの）ＵＩＣＣモジュールのうちの１つに選択的に結合し得る。同様に、マルチプレクサ２１５は、モバイルデバイス１１５ａに第２のＷＷＡＮ技術への同時アクセスを与え得る第２の接続を確立するために、（第２のベースバンド処理チップ２０５ａ２などの）第２のベースバンド処理チップを（ＵＩＣＣモジュール２  ２１０ａ２などの）異なるＵＩＣＣモジュールに選択的に結合し得る。その結果、ベースバンド処理チップ１  ２０５ａ１は、マルチプレクサ２１５を介して、第１のトランシーバ２２０ａ１に接続され、また、ＵＩＣＣモジュール１  ２１０ａ１またはＵＩＣＣモジュール２  ２１０ａ２のいずれかに接続され得る。同様に、ベースバンド処理チップ２  ２０５ａ２は、マルチプレクサ２１５を介して、第２のトランシーバ２２０ａ２ならびにＵＩＣＣモジュール１  ２１０ａ１またはＵＩＣＣモジュール２  ２１０ａ２のいずれかに接続され得る。モバイルデバイス１１５ａのマルチチップ処理プラットフォームとともに利用可能な、ベースバンド処理チップと、ＵＩＣＣモジュールと、トランシーバとの間の接続の他の構成があり得る。
【００４４】
[0057]図７は、異なるＷＷＡＮデータ技術に同時にアクセスする方法７００の一例を示すフローチャートである。明快のために、図１、図３、図４、図５、または図６のモバイルデバイス１１５の一例であり得る、図２に示されたモバイルデバイス１１５ａを参照しながら、方法７００について以下で説明する。方法７００は、図２のマルチプレクサ２１５の一例であり得る、第１のマルチプレクサ２１５ａ１によって実装され得る。ブロック７０５において、第１のマルチプレクサ２１５ａ１をいくつかのベースバンド処理チップ２０５ａに通信可能に結合する。たとえば、第１のマルチプレクサ２１５ａ１は、いくつかのベースバンド処理チップ２０５ａのうちの１つに組み込まれ得る。別の例として、第１のマルチプレクサ２１５ａ１は、ベースバンド処理チップ２０５ａとは別個のチップ上にあり得、処理チップ２０５ａの各々と電子通信していることがある。ブロック７１０において、第１の接続を確立するために、ベースバンド処理チップ１  ２０５ａ１など、第１のベースバンド処理チップを、ＵＩＣＣモジュール１  ２１０ａ１など、第１のＵＩＣＣモジュールに選択的に結合する。一構成では、第１の接続は、モバイルデバイス１１５ａに第１のＷＷＡＮデータ技術へのアクセスを与え得る。ブロック７１５において、第２の接続を確立するために、ベースバンド処理チップ２  ２０５ａ２など、第２のベースバンド処理チップを、ＵＩＣＣモジュール２  ２１０ａ２など、第２のＵＩＣＣモジュールに選択的に結合する。一例では、第２の接続は、モバイルデバイス１１５ａが第２のＷＷＡＮデータ技術にアクセスすることを可能にし得る。一構成では、第２の接続は、第１の接続と同時に動作可能であり得る。したがって、方法７００は、モバイルデバイス１１５ａに、異なるＷＷＡＮ技術に同時にアクセスする能力を与える。方法７００は一実装形態にすぎないこと、および方法７００の動作は、他の実装形態が可能であるように、並べ替えられるかまたは場合によっては変更され得ることに留意されたい。
【００４５】
[0058]図８は、異なるＷＷＡＮにわたって同時に通信する方法８００の一例を示すフローチャートである。明快のために、図１、図３、図４、図５、または図６のモバイルデバイス１１５の一例であり得る、図２に示されたモバイルデバイス１１５ａを参照しながら、方法８００について以下で説明する。一例では、方法８００は、図２のマルチプレクサ２１５の一例であり得る、第１のマルチプレクサ２１５ａ１によって実装され得る。ブロック８０５において、第１のマルチプレクサ２１５ａ１をいくつかのベースバンド処理チップ２０５ａ１に通信可能に結合する。一構成では、ブロック８１０において、第１のＷＷＡＮとの第１の接続を確立するために、ベースバンド処理チップ１  ２０５ａ１など、第１のベースバンド処理チップを第１のトランシーバ２２０ａ１に選択的に結合する。さらに、第２のＷＷＡＮと第２の接続を確立するために、ベースバンド処理チップ２  ２０５ａ２など、第２のベースバンド処理チップを第２のトランシーバ２２０ａ２に選択的に結合する。第２の接続は、第１の接続と同時に動作可能であり得る。したがって、方法８００は、モバイルデバイス１１５ａに異なるＷＷＡＮへの同時アクセスを与え得る。方法８００は一実装形態にすぎないこと、および方法８００の動作は、他の実装形態が可能であるように、並べ替えられるかまたは場合によっては変更され得ることに留意されたい。
【００４６】
[0059]図９は、モバイルデバイス１１５ａ内で低電力動作状態を確立する方法９００の一例を示すフローチャートである。図１、図３、図４、図５、または図６のモバイルデバイス１１５の一例であり得る、図２に示されたモバイルデバイス１１５ａを参照しながら、方法９００について以下で説明する。方法９００は、図２に示されたマルチプレクサ２１５の一例であり得る、第１のマルチプレクサ２１５ａ１によって実装され得る。ブロック９０５において、第１のマルチプレクサをいくつかのベースバンド処理チップ２０５ａに通信可能に結合する。たとえば、第１のマルチプレクサ２１５ａ１は、ベースバンド処理チップ２０５ａのうちの１つ内に組み込まれ得る。別の例として、第１のマルチプレクサ２１５ａ１は、ベースバンド処理チップ２０５ａの各々と電子通信していることがある。ブロック９１０において、第１の接続を確立するために第１のマルチプレクサ２１５ａ１を介して、ベースバンド処理チップ１  ２０５ａ１などの第１のベースバンド処理チップを、ＵＩＣＣモジュール１  ２１０ａ１および／または第１のトランシーバ２２０ａ１など、第１のＵＩＣＣモジュールおよび／または第１のトランシーバと選択的に結合する。ブロック９１５において、第２の接続を確立するために第１のマルチプレクサ２１５ａ１を介して、ベースバンド処理チップ２０５ａ２などの第２のベースバンド処理チップを、ＵＩＣＣモジュール２  ２１０ａ２および／または第２のトランシーバ２２０ａ２など、第２のＵＩＣＣモジュールおよび／または第２のトランシーバに選択的に結合する。第１の接続は、（第１のトランシーバを介した）第１のＷＷＡＮと（第１のＵＩＣＣモジュールを介した）第１のＷＷＡＮデータ技術とへのアクセスを、モバイルデバイス１１５ａに与え得る。第２の接続は、（第２のトランシーバを介した）第２のＷＷＡＮと（第２のＵＩＣＣモジュールを介した）第２のＷＷＡＮデータ技術とへのアクセスを、モバイルデバイス１１５ａに与え得る。第２の接続は、第１の接続と同時に動作可能であり得る。したがって、第１のマルチプレクサ２１５ａ１は、モバイルデバイス１１５ａが、異なるＷＷＡＮと、異なるＷＷＡＮによって与えられる異なるデータ技術とに同時にアクセスすることを可能にし得る。
【００４７】
[0060]一例では、第２のベースバンド処理チップは、第１のベースバンド処理チップよりも多くの電力を消費し得る。たとえば、第２のベースバンド処理チップは、第１のベースバンド処理チップによって管理されるアプリケーションよりも高いレートの電力を消費する、モバイルデバイス１１５ａ上で実行されている１つまたは複数のアプリケーションを管理し得る。別の例として、第２のベースバンド処理チップはモバイルデバイス１１５ａのディスプレイを管理し得るので、第２のベースバンド処理チップはより多くの電力を消費し得る。ブロック９２０において、モバイルデバイス１１５ａが低データレートと低電力状態とに入っているかどうかに関する判断を行う。低データレート状態では、単一のベースバンド処理チップ、ＵＩＣＣモジュール、およびトランシーバのみがアクティブであり得る。低電力状態では、モバイルデバイス１１５ａは、他の処理チップと比較して最小量の電力を消費するベースバンド処理チップをアクティブにする（または、アクティブ状態に維持する）ことを望み得る。デバイス１１５ａが低電力状態に入っていないと決定された場合、方法９００は、モバイルデバイスが低電力状態に入っているかどうかを決定することを続けるために戻り得る。しかしながら、デバイス１１５ａが低電力状態に入っていると決定された場合、ブロック９２５において、第２のベースバンド処理チップを第２のＵＩＣＣモジュールおよび／または第２のトランシーバから分離する。ブロック９３０において、第１のベースバンド処理チップを第２のＵＩＣＣモジュールおよび／または第２のトランシーバに通信可能に結合する。たとえば、第１のマルチプレクサ２１５ａ１は、第２のベースバンド処理チップと、第２のＵＩＣＣモジュールと、第２のトランシーバとの間の接続を分離し、第２のベースバンド処理チップによる電力の消費と比較して第１のベースバンド処理チップによる電力の低減された消費に基づいて、第１のベースバンド処理チップを第２のＵＩＣＣモジュールと第２のトランシーバとに通信可能に結合し得る。したがって、方法９００は、デバイス１１５ａが低電力動作モードに入ったときにモバイルデバイス１１５ａが少ない量の電力を消費することを可能にし得る。方法９００は一実装形態にすぎないこと、および方法９００の動作は、他の実装形態が可能であるように、並べ替えられるかまたは場合によっては変更され得ることに留意されたい。
【００４８】
[0061]図１０は、モバイルデバイス１１５ａ内でプロキシ動作モードを確立する方法１０００の一例を示すフローチャートである。図１、図３、図４、図５、または図６のモバイルデバイス１１５の一例であり得る、図２に示されたモバイルデバイス１１５ａを参照しながら、方法１０００について以下で説明する。方法１０００は、図２に示されたマルチプレクサ２１５の一例であり得る、第１のマルチプレクサ２１５ａ１によって実装され得る。ブロック１００５において、モバイルデバイス１１５ａは低電力状態に入る。低電力状態では、モバイルデバイス１１５ａが単一のベースバンド処理チップ、ＵＩＣＣ、およびトランシーバを使用することが望ましいことがある。一構成では、モバイルデバイス１１５ａが低電力状態に入ったとき、モバイルデバイス１１５ａは複数のベースバンド処理チップ、ＵＩＣＣモジュール、およびトランシーバを使用していることがある。別の例では、モバイルデバイス１１５ａが低電力状態に入ったとき、モバイルデバイス１１５ａは他のベースバンド処理チップと比較してより大きい量の電力を消費するベースバンド処理チップを使用していることがある。ブロック１０１０において、（第１のマルチプレクサ２１５ａ１を介して）ベースバンド処理チップ２  ２０５ａ２などの第２のベースバンド処理チップを、ＵＩＣＣモジュール２  ２１０ａ２または第２のトランシーバ２２０ａ２など、第２のＵＩＣＣモジュールおよび／または第２のトランシーバから分離する。ブロック１０１５において、第１のマルチプレクサ２１５ａ１を介して、ベースバンド処理チップ１  ２０５ａ１などの第１のベースバンド処理チップを、第２のＵＩＣＣモジュールおよび／または第２のトランシーバに通信可能に結合する。一例では、第２のベースバンド処理チップは、第１のベースバンド処理チップの電力消費と比較してより多くの電力を消費し得る。その結果、第２のベースバンド処理チップによる電力の消費と比較して第１のベースバンド処理チップによる電力の低減された消費に基づいて、第１のベースバンド処理チップを第２のＵＩＣＣモジュールおよび／または第２のトランシーバに結合し得る。
【００４９】
[0062]ブロック１０２０において、第１のベースバンド処理チップは、第２のベースバンド処理チップのプロキシとして機能する。たとえば、第１のベースバンド処理チップは、第２のベースバンド処理チップに代わって動作を実行し得る。一例では、第１のベースバンド処理チップは、第２のベースバンド処理チップに代わって電子メール動作を実行し得る。別の例では、第１のベースバンド処理チップは、第２のベースバンド処理チップに代わってインスタントメッセージング（ＩＭ）動作を実行することによって第２のベースバンド処理チップのプロキシになり得る。ブロック１０２５において、第１のベースバンド処理チップがプロキシとして機能する間、第２のベースバンド処理チップはスリープモードに入る。したがって、方法１０００は、モバイルデバイス１１５ａが、最小量の電力を消費するベースバンド処理チップをＵＩＣＣモジュールとトランシーバとに接続することによって、デバイス１１５ａが低電力動作モードに入ったときに少ない量の電力を消費することを可能にし得る。接続されたベースバンド処理チップは、未接続のベースバンド処理チップのプロキシとして働き得る。方法１０００は一実装形態にすぎないこと、および方法１０００の動作は、他の実装形態が可能であるように、並べ替えられるかまたは場合によっては変更され得ることに留意されたい。
【００５０】
[0063]図１１は、モバイルデバイス１１５ａ内でプロキシ動作モードを中止する方法１１００の一構成を示すフローチャートである。図１、図３、図４、図５、または図６のモバイルデバイス１１５の一例であり得る、図２に示されたモバイルデバイス１１５ａを参照しながら、方法１１００について以下で説明する。方法１１００は、図２に示されたマルチプレクサ２１５の一例であり得る、第１のマルチプレクサ２１５ａ１によって実装され得る。ブロック１１０５において、第１のベースバンド処理チップが第２のベースバンド処理チップのプロキシとして機能する間、第２のベースバンド処理チップはスリープモードに入る。たとえば、デバイス１１５ａが低電力状態に入ったとき、第１のマルチプレクサ２１５ａ１は、第１のベースバンド処理チップをＵＩＣＣモジュールとトランシーバとから分離し得る。第２のベースバンド処理チップは、第１のベースバンド処理チップと比較してより少ない電力を消費し得るので、第１のマルチプレクサ２１５ａ１は、第２のベースバンド処理チップをＵＩＣＣモジュールとトランシーバとに接続し得る。ブロック１１１０において、第１のベースバンド処理チップは、第２のベースバンド処理チップに向けられたアクティブ要求の受信を監視する。たとえば、第２のベースバンド処理チップによって通常実行される動作に関係する要求が受信され得る。これらのタイプのアクティブ要求の例としは、着信電子メールメッセージ、ＩＭなどに関係するメッセージがある。ブロック１１１５において、アクティブ要求が検出されたかどうかに関する決定を行う。アクティブ要求が検出されなかったと決定された場合、方法１１００は、第２のベースバンド処理チップに向けられたアクティブ要求の受信を監視し続けるために戻り得る。しかしながら、アクティブ要求が検出されたと判断された場合、ブロック１１２０において、第２のベースバンド処理チップはアクティブモードに入る（すなわち、スリープモードを出る）。たとえば、第２のベースバンド処理チップは、アクティブ要求を実行するためにアクティブモードに入り得る。ブロック１１２５において、第１のベースバンド処理チップは、第２のベースバンド処理チップのプロキシとして機能するのを停止する。言い換えれば、第１のベースバンド処理チップは、第２のベースバンド処理チップに代わって動作を実行するのを停止する。一例では、第１のベースバンド処理チップは、第２のベースバンド処理チップに代わってアクティブ要求を実行する能力または機能を有し得ない。したがって、方法１１００は、モバイルデバイス１１５ａが、プロキシとして働くベースバンド処理チップを切断し、アクティブ要求を実行することが可能である処理チップを接続することによって、プロキシ動作モードを中止することを可能にし得る。方法１１００は一実装形態にすぎないこと、および方法１１００の動作は、他の実装形態が可能であるように、並べ替えられるかまたは場合によっては変更され得ることに留意されたい。
【００５１】
[0064]図１２は、モバイルデバイス１１５ａ中に含まれるマルチチップＷＷＡＮ処理プラットフォームを再構成する方法１２００の一例を示すフローチャートである。図１、図３、図４、図５、または図６のモバイルデバイス１１５の一例であり得る、図２に示されたモバイルデバイス１１５ａを参照しながら、方法１２００について以下で説明する。方法１２００は、図２に示されたマルチプレクサ２１５の一例であり得る、第１のマルチプレクサ２１５ａ１と第２のマルチプレクサ２１５ａ２とによって実装され得る。ブロック１２０５において、第１のマルチプレクサ２１５ａ１をいくつかのベースバンド処理チップ２０５ａに通信可能に結合する。ブロック１２１０において、第２のマルチプレクサ２１５ａ２を、同じくいくつかのベースバンド処理チップ２０５ａに通信可能に結合する。ブロック１２１５において、第１の接続を確立するために、第１のマルチプレクサ２１５ａ１を介して、第１のベースバンド処理チップを第１のＵＩＣＣモジュールに選択的に結合する。第１の接続は、モバイルデバイス１１５ａに第１のＷＷＡＮデータ技術へのアクセスを与え得る。ブロック１２２０において、第２の接続を確立するために、第１のマルチプレクサ２１５ａ１を介して、第２のベースバンド処理チップを第２のＵＩＣＣモジュールに選択的に結合する。第２の接続は、モバイルデバイス１１５ａが第２のＷＷＡＮデータ技術にアクセスすることを可能にし得る。一例では、第２の接続は、第１の接続と同時に動作可能であり得る。
【００５２】
[0065]ブロック１２２５において、第３の接続を確立するために、第２のマルチプレクサ２１５ａ２を介して、第１のベースバンド処理チップを第１のトランシーバに選択的に結合する。第３の接続は、第１のＷＷＡＮデータ技術を与える第１のＷＷＡＮとの接続であり得る。さらに、ブロック１２３０において、第４の接続を確立するために、第２のマルチプレクサ２１５ａ２を介して、第２のベースバンド処理チップを第２のトランシーバに選択的に結合する。第４の接続は、デバイスに第２のＷＷＡＮデータ技術へのアクセスを与える、第２のＷＷＡＮとの確立された通信接続を表し得る。一例では、第４の接続は、第３の接続と同時に動作可能であり得る。したがって、方法１２００は、モバイルデバイス１１５ａが、様々なベースバンド処理チップと、ＵＩＣＣモジュールおよびトランシーバなどの他の構成要素との間の接続を確立することを可能にし得る。各ベースバンドプロセッサがマルチプレクサ２１５ａを介して任意のＵＩＣＣモジュール、トランシーバ、またはそれらの組合せに接続され得るように、これらの接続は再構成可能および動的であり得る。モバイルデバイス１１５ａは、ベースバンド処理チップと、モバイルデバイス１１５ａ内の他の構成要素との間の接続の可能な組合せを増加させるために、任意の数のマルチプレクサを含み得る。方法１２００は一実装形態にすぎないこと、および方法１２００の動作は、他の実装形態が可能であるように、並べ替えられるかまたは場合によっては変更され得ることに留意されたい。
【００５３】
[0066]図１３は、選択されたネットワークにわたって通信するために特定のトランシーバを選択するための方法１３００の一例を示すフローチャートである。図１、図３、図４、図５、または図６のモバイルデバイス１１５の一例であり得る、図２に示されたモバイルデバイス１１５ａを参照しながら、方法１３００について以下で説明する。方法１３００は、図３、図３Ａ、図３、図５または図６に示されたマルチプレクサコントローラの一例であり得る、マルチプレクサコントローラ３２５によって実装され得る。ブロック１３０５において、利用可能なネットワークの探索を実行する。探索は、モバイルデバイス１１５ａがネットワークにわたって現在通信している間に実行され得、または探索は、モバイルデバイス１１５ａがネットワークとの通信を確立する前に実行され得る。ブロック１３１０において、探索において識別された１つまたは複数のネットワークを選択する。１つまたは複数のネットワークは、ネットワークによって与えられる技術に基づいて選択され得る。１つまたは複数のネットワークはまた、各ネットワークに関連する周波数帯域に基づいて選択され得る。たとえば、ブロック１３１５において、１つまたは複数の選択されたネットワークの各々のための動作周波数帯域を選択する。ブロック１３２０において、１つまたは複数のネットワークの各々のためのいくつかのトランシーバのうちの１つを選択する。特定のネットワークのためのトランシーバの選択は、トランシーバの能力と設計とに基づき得る。たとえば、第１のトランシーバは、第２のトランシーバよりも、ある周波数帯域で動作するおよび／またはある技術を与える選択されたネットワークにわたって通信するのに好適である。その結果、マルチプレクサコントローラ３２５は、選択されたネットワークにわたって通信するために第１のトランシーバを選択し得る。したがって、方法１３００は、モバイルデバイスに１１５ａが、利用可能なネットワークを探索し、各選択されたネットワークと通信するために適切なトランシーバを選択することを可能にし得る。
【００５４】
[0067]添付の図面に関して上記に記載した詳細な説明は、例示的な実施形態について説明しており、実装され得るまたは特許請求の範囲内に入る実施形態のみを表すものではない。この説明全体にわたって使用される「例示的」という用語は、「例、事例、または例示の働きをすること」を意味し、「好ましい」または「他の実施形態よりも有利な」を意味しない。詳細な説明は、説明される技法の理解を与えるために、具体的な詳細を含む。しかしながら、これらの技法は、これらの具体的な詳細なしに実施され得る。いくつかの事例では、説明される実施形態の概念を不明瞭にしないように、よく知られている構造およびデバイスがブロック図の形式で示される。
【００５５】
[0068]情報および信号は、様々な異なる技術および技法のうちのいずれかを使用して表され得る。たとえば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【００５６】
[0069]本明細書の開示に関連して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタロジック、個別ハードウェア構成要素、または本明細書で説明した機能を実行するように設計されたそれらの任意の組合せを用いて実装または実行され得る。汎用プロセッサは、マイクロプロセッサであり得るが、代替として、プロセッサは、任意の従来のプロセッサ、コントローラ、マイクロコントローラ、または状態機械であり得る。プロセッサは、計算デバイスの組合せ、たとえばＤＳＰとマイクロプロセッサとの組合せ、複数のマイクロプロセッサ、ＤＳＰコアと連携する１つもしくは複数のマイクロプロセッサ、または任意の他のそのような構成としても実装され得る。
【００５７】
[0070]本明細書で説明する機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣ、またはＡＢまたはＡＣまたはＢＣまたはＡＢＣ（すなわち、ＡおよびＢおよびＣ）を意味するような選言的列挙を示す。
【００５８】
[0071]コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザーで光学的に再生する。上記の組合せも、コンピュータ可読媒体の範囲内に含まれる。
【００５９】
[0072]本開示についての以上の説明は、当業者が本開示を作成または使用することができるように与えられる。本開示への様々な修正は当業者には容易に明らかであり、本明細書で規定した一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明する例および設計に限定されるべきでなく、本明細書で開示する原理および新規の特徴に合致する最も広い範囲を与えられるべきである。
以下に、本願出願の当初の特許請求の範囲に記載された発明を付記する。
［１］  複数のベースバンド処理チップと、
複数のユニバーサル集積回路カード（ＵＩＣＣ）チップと、
前記複数のベースバンド処理チップに通信可能に結合され、
第１の接続を確立するために、第１のベースバンド処理チップを第１のＵＩＣＣモジュールに選択的に結合することと、
前記第１の接続と同時に動作可能な第２の接続を確立するために、第２のベースバンド処理チップを第２のＵＩＣＣモジュールに選択的に結合することと、
を行うように構成された第１のマルチプレクサと、
を備える通信デバイス。
［２］  複数のトランシーバをさらに備え、
前記第１のマルチプレクサは、
前記第１のベースバンド処理チップを第１のトランシーバに選択的に結合することと、
前記第２のベースバンド処理チップを第２のトランシーバに選択的に結合することと、をさらに行うように構成された、［１］に記載の通信デバイス。
［３］  前記第１の接続は、前記第１のＵＩＣＣモジュールに結合された前記第１のベースバンド処理チップと、前記第１のトランシーバに結合された前記第１のベースバンド処理チップとを備える、［２］に記載の通信デバイス。
［４］  前記第２の接続は、前記第２のＵＩＣＣモジュールに結合された前記第２のベースバンド処理チップと、前記第２のトランシーバに結合された前記第２のベースバンド処理チップとを備える、［２］に記載の通信デバイス。
［５］  前記第１のマルチプレクサは、前記第２のＵＩＣＣモジュールから前記第２のベースバンド処理チップを分離することと、前記第２のベースバンド処理チップによる電力の消費と比較して前記第１のベースバンド処理チップによる低減された電力の消費に基づいて、前記第１のベースバンド処理チップを前記第２のＵＩＣＣモジュールに結合することと、
を行うように構成された、［１］に記載の通信デバイス。
［６］  前記第１のベースバンド処理チップは、前記第２のベースバンド処理チップに代わって動作を実行することによって前記第２のベースバンド処理チップのプロキシとして機能するように構成された、［５］に記載の通信デバイス。
［７］  前記第２のベースバンド処理チップは、前記第１のベースバンド処理チップが前記第２のベースバンド処理チップのプロキシとして機能する間にスリープモードに入るように構成された、［５］に記載の通信デバイス。
［８］  前記第１のベースバンド処理チップは、前記第２のベースバンド処理チップに代わって電子メール動作を実行するように構成された、［５］に記載の通信デバイス。
［９］  前記第１のベースバンド処理チップは、前記第２のベースバンド処理チップに代わってインスタントメッセージング（ＩＭ）動作を実行するように構成された、［５］に記載の通信デバイス。
［１０］  前記第１のベースバンド処理チップは、前記第２のベースバンド処理チップに向けられたアクティブ要求の受信を監視するように構成された、［５］に記載の通信デバイス。
［１１］  アクティブ要求を受信すると、
前記第２のベースバンド処理チップは、アクティブモードに入るように構成され、
前記第１のベースバンド処理チップは、前記第２のベースバンド処理チップに代わって動作を実行するのを停止することによってプロキシとして機能するのを停止するように構成された、［５］に記載の通信デバイス。
［１２］  前記第１のマルチプレクサは、前記複数のベースバンド処理チップのうちの１つに組み込まれる、［１］に記載の通信デバイス。
［１３］  前記複数のベースバンド処理チップのうちの少なくとも１つは、前記通信デバイス上で実行している１つまたは複数のアプリケーションを管理するように構成された、［１］に記載の通信デバイス。
［１４］  前記複数のベースバンド処理チップのうちの少なくとも１つは、前記通信デバイスのディスプレイを管理するように構成された、［１］に記載の通信デバイス。
［１５］  前記複数のベースバンド処理チップに通信可能に結合され、
第３の接続を確立するために、前記第１のベースバンド処理チップを第１のトランシーバに選択的に結合することと、
前記第３の接続と同時に動作可能な第４の接続を確立するために、前記第２のベースバンド処理チップを第２のトランシーバに選択的に結合することと、を行うように構成された第２のマルチプレクサをさらに備える、［１］に記載の通信デバイス。
［１６］  利用可能なネットワークを探索することと、
前記探索に基づいて１つまたは複数のネットワークを選択することと、
前記１つまたは複数のネットワークの各々のための動作周波数帯域を選択することと、
前記１つまたは複数のネットワークの各々のための前記複数のトランシーバのうちの１つを選択することと、
を行うように構成されたマルチプレクサコントローラをさらに備える、［１］に記載の通信デバイス。
［１７］  再構成可能なマルチチップＷＷＡＮ処理プラットフォームを確立するための方法であって、
第１のマルチプレクサを複数のベースバンド処理チップに通信可能に結合することと、
第１の接続を確立するために、第１のベースバンド処理チップを第１のユニバーサル集積回路カード（ＵＩＣＣ）モジュールに選択的に結合することと、
前記第１の接続と同時に動作可能な第２の接続を確立するために、第２のベースバンド処理チップを第２のＵＩＣＣモジュールに選択的に結合することと、を備える方法。
［１８］  前記第１のベースバンド処理チップを第１のトランシーバに選択的に結合することと、
前記第２のベースバンド処理チップを第２のトランシーバに選択的に結合することと、をさらに備える、［１７］に記載の方法。
［１９］  前記第１の接続は、前記第１のＵＩＣＣモジュールに結合された前記第１のベースバンド処理チップと、前記第１のトランシーバに結合された前記第１のベースバンド処理チップとを備える、［１８］に記載の方法。
［２０］  前記第２の接続は、前記第２のＵＩＣＣモジュールに結合された前記第２のベースバンド処理チップと、前記第２のトランシーバに結合された前記第２のベースバンド処理チップとを備える、［１８］に記載の方法。
［２１］  前記第２のＵＩＣＣモジュールから前記第２のベースバンド処理チップを分離することと、前記第２のベースバンド処理チップによる電力の消費と比較して前記第１のベースバンド処理チップによる低減された電力の消費に基づいて、前記第１のベースバンド処理チップを前記第２のＵＩＣＣモジュールに結合することと、をさらに備える、［１７］に記載の方法。
［２２］  前記第１のベースバンド処理チップが、前記第２のベースバンド処理チップに代わって動作を実行することによって前記第２のベースバンド処理チップのプロキシとして機能することをさらに備える、［２１］に記載の方法。
［２３］  前記第２のベースバンド処理チップが、前記第１のベースバンド処理チップが前記第２のベースバンド処理チップのプロキシとして機能する間にスリープモードに入ることをさらに備える、［２１］に記載の方法。
［２４］  前記第１のベースバンド処理チップが、前記第２のベースバンド処理チップに代わって電子メール動作を実行することをさらに備える、［２１］に記載の方法。
［２５］  前記第１のベースバンド処理チップが、前記第２のベースバンド処理チップに代わってインスタントメッセージング（ＩＭ）動作を実行することをさらに備える、［２１］に記載の方法。
［２６］  前記第１のベースバンド処理チップが、前記第２のベースバンド処理チップに向けられたアクティブ要求の受信を監視することをさらに備える、［２１］に記載の方法。
［２７］  アクティブ要求を受信すると、
前記第２のベースバンド処理チップが、アクティブモードに入ることと、
前記第１のベースバンド処理チップが、前記第２のベースバンド処理チップに代わって動作を実行するのを停止することによってプロキシとして機能するのを停止すること、をさらに備える、［２１］に記載の方法。
［２８］  前記第１のマルチプレクサが、前記複数のベースバンド処理チップのうちの１つに組み込まれる、［１７］に記載の方法。
［２９］  少なくとも１つのベースバンド処理チップが、前記通信デバイス上で実行している１つまたは複数のアプリケーションを管理することをさらに備える、［１７］に記載の方法。
［３０］  少なくとも１つのベースバンド処理チップが、前記通信デバイスのディスプレイを管理することをさらに備える、［１７］に記載の方法。
［３１］  第２のマルチプレクサを複数のベースバンド処理チップに通信可能に結合することと、
第３の接続を確立するために、前記第１のベースバンド処理チップを第１のトランシーバに選択的に結合することと、
前記第３の接続と同時に動作可能な第４の接続を確立するために、前記第２のベースバンド処理チップを第２のトランシーバに選択的に結合することと、をさらに備える、［１７］に記載の方法。
［３２］  利用可能なネットワークを探索することと、
前記探索に基づいて１つまたは複数のネットワークを選択することと、
前記１つまたは複数のネットワークの各々のための動作周波数帯域を選択することと、
前記１つまたは複数のネットワークの各々のための前記複数のトランシーバのうちの１つを選択することと、をさらに備える、［１７］に記載の方法。
［３３］  再構成可能なマルチチップＷＷＡＮ処理プラットフォームを確立するためのシステムであって、
第１のマルチプレクサを複数のベースバンド処理チップに通信可能に結合する手段と、
第１の接続を確立するために、第１のベースバンド処理チップを第１のユニバーサル集積回路カード（ＵＩＣＣ）モジュールに選択的に結合する手段と、
前記第１の接続と同時に動作可能な第２の接続を確立するために、第２のベースバンド処理チップを第２のＵＩＣＣモジュールに選択的に結合する手段と、を備えるシステム。
［３４］  前記第１のベースバンド処理チップを第１のトランシーバに選択的に結合する手段と、
前記第２のベースバンド処理チップを第２のトランシーバに選択的に結合する手段と、をさらに備える、［３３］に記載のシステム。
［３５］  前記第１の接続は、前記第１のＵＩＣＣモジュールに結合された前記第１のベースバンド処理チップと、前記第１のトランシーバに結合された前記第１のベースバンド処理チップとを備える、［３３］に記載のシステム。
［３６］  前記第２の接続は、前記第２のＵＩＣＣモジュールに結合された前記第２のベースバンド処理チップと、前記第２のトランシーバに結合された前記第２のベースバンド処理チップとを備える、［３３］に記載のシステム。
［３７］  前記第２のＵＩＣＣモジュールから前記第２のベースバンド処理チップを分離する手段と、
前記第２のベースバンド処理チップによる電力の消費と比較して前記第１のベースバンド処理チップによる低減された電力の消費に基づいて、前記第１のベースバンド処理チップを前記第２のＵＩＣＣモジュールに結合する手段と、をさらに備える、［３３］に記載のシステム。
［３８］  再構成可能なマルチチップＷＷＡＮ処理プラットフォームを確立するためのコンピュータプログラム製品であって、
第１のマルチプレクサを複数のベースバンド処理チップに通信可能に結合するためのコードと、
第１の接続を確立するために、第１のベースバンド処理チップを第１のユニバーサル集積回路カード（ＵＩＣＣ）モジュールに選択的に結合するためのコードと、
前記第１の接続と同時に動作可能な第２の接続を確立するために、第２のベースバンド処理チップを第２のＵＩＣＣモジュールに選択的に結合するためのコードと、を備える非一時的コンピュータ可読媒体を備えるコンピュータプログラム製品。
［３９］  前記第１のベースバンド処理チップを第１のトランシーバに選択的に結合するためのコードと、
前記第２のベースバンド処理チップを第２のトランシーバに選択的に結合するためのコードと、をさらに備える、［３８］に記載のコンピュータプログラム製品。
［４０］  前記第１の接続は、前記第１のＵＩＣＣモジュールに結合された前記第１のベースバンド処理チップと、前記第１のトランシーバに結合された前記第１のベースバンド処理チップとを備える、［３８］に記載のコンピュータプログラム製品。
［４１］  前記第２の接続は、前記第２のＵＩＣＣモジュールに結合された前記第２のベースバンド処理チップと、前記第２のトランシーバに結合された前記第２のベースバンド処理チップとを備える、［３８］に記載のコンピュータプログラム製品。
［４２］  前記第２のＵＩＣＣモジュールから前記第２のベースバンド処理チップを分離するためのコードと、
前記第２のベースバンド処理チップによる電力の消費と比較して前記第１のベースバンド処理チップによる低減された電力の消費に基づいて、前記第１のベースバンド処理チップを前記第２のＵＩＣＣモジュールに結合するためのコードと、をさらに備える、［３８］に記載のコンピュータプログラム製品。
【図１】
0005784837.tif 000002
【図２】
0005784837.tif 000003
【図３】
0005784837.tif 000004
【図３Ａ】
0005784837.tif 000005
【図４】
0005784837.tif 000006
【図５】
0005784837.tif 000007
【図６】
0005784837.tif 000008
【図７】
0005784837.tif 000009
【図８】
0005784837.tif 000010
【図９】
0005784837.tif 000011
【図１０】
0005784837.tif 000012
【図１１】
0005784837.tif 000013
【図１２】
0005784837.tif 000014
【図１３】
0005784837.tif 000015